(57)【要約】【課題】パイプ吊下げ作業におけるパイプの回転を防止することができるパイプ吊下装置を提供する。【解決手段】パイプ嵌合プレート２３の嵌合溝２３ａには複数の突起２３ｂ，２３ｂ・・が設けられている。この突起２３ｂの大きさは１ミリメートル程度のものであるが、この突起２３ｂを設けることによってパイプ吊下げ時に突起２３ｂがパイプ周壁にくい込み、紐状の保持部材の一端を上方に引張ることによってもパイプが回転せず、パイプにねじれが生じないことからパイプの中心がずれることを防止している。【選択図】図２
2004100219.tif 000002
【特許請求の範囲】
【請求項１】
地面を掘削して形成される溝の両壁に設置された土留パネル又は矢板間に下水道管等を敷設する作業で使用するパイプ吊下装置であって、
該パイプ吊下装置は、パイプの周壁を挟持するパイプホルダー部と、該パイプホルダー部の上方に位置する吊下装置本体と、該吊下装置本体と前記パイプホルダー部とを連結するクランプ部と、前記吊下装置本体から前記土留パネル又は矢板を押圧する方向に延出する伸縮自在の支持杆と該支持杆の先端に押圧片が設置されてなるジャッキを備えた突っ張り部とを有しているパイプ吊下装置において、
パイプ吊下時にパイプが回転することを防止するためのパイプ回転防止手段を設けたことを特徴とするパイプ吊下装置。
【請求項２】
パイプ吊下装置のパイプホルダー部にパイプ嵌合プレートを設け、該パイプ嵌合プレートにパイプ回転防止手段を設けたことを特徴とする請求項１に記載のパイプ吊下装置。
【請求項３】
パイプ回転防止手段は、パイプ嵌合プレートがパイプと接触する部分に凸部を設けたことを特徴とする請求項２に記載のパイプ吊下装置。
【請求項４】
パイプ回転防止手段は、吊下げられるパイプがリブ付きパイプの場合には、パイプ嵌合プレートの厚みを該リブ付きパイプのリブ間隔よりも幅広にしたことを特徴とする請求項１に記載のパイプ吊下装置。
【請求項５】
地面を掘削して形成される溝の両壁に設置された土留パネル又は矢板間に下水道管等を敷設する作業で使用するパイプ吊下装置であって、
該パイプ吊下装置は、パイプの周壁を挟持するパイプホルダー部と、該パイプホルダー部の上方に位置する吊下装置本体と、該吊下装置本体と前記パイプホルダー部とを連結するクランプ部と、前記吊下装置本体から前記土留パネル又は矢板を押圧する方向に延出する伸縮自在の支持杆と該支持杆の先端に押圧片が設置されてなるジャッキを備えた突っ張り部とを有しているパイプ吊下装置において、
該パイプ吊下装置に使用する部材に中空状の軽量部材を使用したことを特徴とするパイプ吊下装置。
【請求項６】
中空状の軽量部材は、パイプであることを特徴とする請求項５に記載のパイプ吊下装置。
【発明の詳細な説明】
【０００１】
【発明の属する技術分野】
本発明は、地面を掘削して形成される溝に下水道管等のパイプを敷設する作業において使用するパイプ吊下装置に関するものである。
【０００２】
【従来の技術】
一般に、下水道管を敷設する工事では、精密な勾配で敷設することが要求される。そのため、従来では掘削した溝を跨いだ路面に、門構えの形状をした丁張を所定の間隔ごとに測量器等を使用して指定された勾配となるように設置した後、この丁張の勾配に合わせて丁張り糸（水糸）を張り渡す工程を必要としている。
【０００３】
そして、上記作業の後、所定長さの棒を使用して溝に挿入した下水道管の最上部と丁張り糸との間隔を一定にするため、下水道管の下部に板等を敷いて調整する作業をした後、下水道管を固定して土砂を埋め戻していた。
【０００４】
しかし、最近ではレーザー照準器を使用し、発射されるレーザー光線を基準として敷設されるパイプの勾配を精密に設定する方法も普及してきている。
【０００５】
また、本出願人は、特願２００２−１５８４５号及び特願２００２−９８４８９号に記載のパイプ吊下装置を開発している。例えば特願２００２−９８４８９号に記載のパイプ吊下装置は、図５に示すように、地面を掘削して形成される溝の両壁に設置された土留パネル又は矢板間に下水道管等を敷設する作業で使用するパイプ吊下装置１であって、該パイプ吊下装置１は、パイプの周壁を挟持するパイプホルダー部２と、該パイプホルダー部２の上方に位置する吊下装置本体３と、該吊下装置本体３と前記パイプホルダー部２とを連結するクランプ部４と、前記吊下装置本体３から前記土留パネル又は矢板を押圧する方向に延出する伸縮自在の支持杆５ａと該支持杆５ａの先端に押圧片５ｂが設置されてなるジャッキを備えた突っ張り部６とを有しており、前記パイプホルダー部２は、パイプ嵌合プレート２ａと、紐状のパイプ保持部材２ｃと、該パイプ保持部材の係止手段２ｂとを備えているものである。
【０００６】
この発明によって、パイプの敷設作業が容易になると共に、敷設後の埋め戻し作業も簡易化することができるようになった。
【０００７】
【発明が解決しようとする課題】
しかしながら、上記構成では、パイプの一端を吊下装置によって吊下げた後、パイプの他端を別の吊下装置によって吊下げるパイプ吊下げ作業では、紐状のパイプ保持部材によってパイプの周壁を保持するため、紐状の保持部材の一端を上方に引張る必要があるが、これによって、パイプが回転することがあり、パイプにねじれが生じてパイプの中心がずれてしまうことがあった。
【０００８】
また、パイプ嵌合プレートは所定のパイプ形状に合わせた半円状の嵌合部を有するものであるが、パイプがリブ付きパイプの場合には、このリブが嵌合プレートの嵌合部と接触する場合と接触しない場合との組み合わせではパイプの中心がずれてしまうものであった。
【０００９】
さらに、吊下げ作業時に、パイプの重量にパイプ吊下装置の重量が加わると作業者にとっては相当の負担となっていた。
【００１０】
本発明は上記点に鑑み、パイプ吊下げ作業におけるパイプの回転を防止すると共にリブ付きパイプにも対応することができ、さらに吊下装置自体を軽量化したパイプ吊下装置を提供することを目的とする。
【００１１】
【課題を解決するための手段】
請求項１の発明は、地面を掘削して形成される溝の両壁に設置された土留パネル又は矢板間に下水道管等を敷設する作業で使用するパイプ吊下装置であって、該パイプ吊下装置は、パイプの周壁を挟持するパイプホルダー部と、該パイプホルダー部の上方に位置する吊下装置本体と、該吊下装置本体と前記パイプホルダー部とを連結するクランプ部と、前記吊下装置本体から前記土留パネル又は矢板を押圧する方向に延出する伸縮自在の支持杆と該支持杆の先端に押圧片が設置されてなるジャッキを備えた突っ張り部とを有しているパイプ吊下装置において、
パイプ吊下時にパイプが回転することを防止するためのパイプ回転防止手段を設けたことに特徴を有する。
【００１２】
請求項２の発明は、パイプ吊下装置のパイプホルダー部にパイプ嵌合プレートを設け、該パイプ嵌合プレートにパイプ回転防止手段を設けたことに特徴を有する。
【００１３】
請求項３の発明は、パイプ回転防止手段は、パイプ嵌合プレートがパイプと接触する部分に凸部を設けたことに特徴を有する。
【００１４】
請求項４の発明は、パイプ回転防止手段は、吊下げられるパイプがリブ付きパイプの場合には、パイプ嵌合プレートの厚みを該リブ付きパイプのリブ間隔よりも幅広にしたことに特徴を有する。
【００１５】
請求項５の発明は、地面を掘削して形成される溝の両壁に設置された土留パネル又は矢板間に下水道管等を敷設する作業で使用するパイプ吊下装置であって、該パイプ吊下装置は、パイプの周壁を挟持するパイプホルダー部と、該パイプホルダー部の上方に位置する吊下装置本体と、該吊下装置本体と前記パイプホルダー部とを連結するクランプ部と、前記吊下装置本体から前記土留パネル又は矢板を押圧する方向に延出する伸縮自在の支持杆と該支持杆の先端に押圧片が設置されてなるジャッキを備えた突っ張り部とを有しているパイプ吊下装置において、
該パイプ吊下装置に使用する部材に中空状の軽量部材を使用したことに特徴を有する。
【００１６】
請求項６の発明は、中空状の軽量部材は、パイプであることに特徴を有する。
【００１７】
【発明の実施の形態】
次に、本発明の実施の形態を図面に基づいて説明する。図１は本発明に係るパイプ吊下装置の全体を示す説明図である。このパイプ吊下装置１０は、パイプ２６の周壁を挟持するパイプホルダー部１１と、このパイプホルダー部１１の上方に位置する吊下装置本体１２と、この吊下装置本体１２とパイプホルダー部１１とを連結するクランプ部１３と、突っ張り部１４とを有する構成としている。
【００１８】
そして、突っ張り部１４は、吊下装置本体１２から土留パネルを押圧する方向（図面上は左右方向）に延出する伸縮自在の支持杆１４ａと、この支持杆１４ａの先端に押圧片１４ｂが設置されてなるジャッキからなる構成としている。尚、支持杆１４ａは、外筒と、この外筒に挿入されている伸縮棒とからなるものであり（図示せず）、伸縮棒の先端に押圧片が設置されているのである。また、伸縮棒の表面にはねじ切りがされていて、この伸縮棒に固定ハンドル１５を螺合する構成としているのである。
【００１９】
ここで、土留パネルとは２枚のパネルを切梁サポート（図示せず）により所定の間隔で連結して掘削部位に設置して、掘削部位を所定の幅寸法に保持するものであり、詳しくは本出願人の出願である特開２０００−４５２８３号公報等に記載されている。尚、土留パネルに代えて矢板の場合でも本発明を実施することができることは言うまでもない。
【００２０】
そして、突っ張り部１４の下方には、左右位置調整部１８が設けられている。この左右位置調整部１８は、ねじ切りされた左右方向の調整棒１８ａと、この左右方向の調整棒１８ａに螺合する可動管１８ｂと調整棒１８ａに螺合する位置決めハンドル１９，１９とからなるものであり、調整棒１８ａは支持杆１４ａに対して平行に配設されている。また、可動管１８ｂは吊下装置本体１２に溶接されていて、可動管１８ｂが調整棒１８ａ上を動くことによって、吊下装置本体１２と、これに連結するパイプホルダー部１１とが図面上、左右方向に動いて左右方向の位置調整ができるようになっているのである。
【００２１】
また、吊下装置本体１２は、中空円筒状となっており、表面がねじ切りされた上下方向の調整棒２０が挿入されている。そして、位置決めハンドル２１ａ，２１ｂが吊下装置本体１２の上方及び下方の位置で上下方向の調整棒２０に螺合している。したがって、吊下装置本体１２は上下方向の調整棒２０上を動くことによって、この吊下装置本体１２に連結するパイプホルダー部１１が図面上、上下方向に動いて上下方向の位置調整ができるようになっているのである。
【００２２】
尚、クランプ部１３とパイプ嵌合プレート２３とには位置決めのためにレーザー照準器から発射されるレーザー光線が照射されるターゲットを保持するターゲットホルダー２４が着脱可能に設置される構造となっている。
【００２３】
次に、パイプホルダー部２４はパイプ嵌合プレート２３と、紐状のパイプ保持部材２４と、紐状のパイプ保持部材２４の係止手段２５とで構成されている。そして、パイプ嵌合プレート２３はパイプ２６の径と略一致する略半円の嵌合溝２３ａを有している。また、パイプ保持部材の係止手段は図示していないが、紐状のパイプ保持部材２４の折り返された部分の一部を収容し、パイプ嵌合プレートに固定する構成としている。そして、パイプ保持部材２４の他方の係止手段２５は紐状のパイプ保持部材２４を通した溝付きのスロット２５ａをラチェット機構により回転させ、このスロット２５ａに紐状のパイプ保持部材２４を巻き付け、且つスロット２５ａの溝にストッパが係合して紐状のパイプ保持部材２４が緩むことがないようにした荷締機を利用したものである。この係止手段はラチェット機構のレバー２５ｂを上方（吊下装置本体方向）へ押し上げることによって紐状のパイプ保持部材２４を巻き取り且つ、巻き取られた紐状のパイプ保持部材２４を緩むことなく係止するものである。
【００２４】
図２は、本発明に係るパイプ吊下装置の回転防止手段を示した説明図である。この図に示すように、パイプ嵌合プレート２３の嵌合溝２３ａには複数の突起２３ｂ，２３ｂ，・・が設けられている。この突起２３ｂの大きさは１ミリメートル程度のものであるが、この突起２３ｂを設けることによってパイプ吊下げ時に突起がパイプ周壁にくい込み、紐状の保持部材２４の一端を上方に引張ることによってもパイプが回転せず、パイプにねじれが生じないことからパイプの中心がずれることはないのである。
【００２５】
図３は、リブ付きパイプを示したものであるが、このリブ付きパイプをパイプ吊下装置によって吊下げようとする場合にはリブ間隔Ａよりもパイプ嵌合プレートを厚くする必要がある。図４はパイプ吊下装置を側面方向からみた説明図である。この図に示すように、パイプ嵌合プレート２３を２枚にして、この２枚のパイプ嵌合プレート２３，２３の間隔Ｂを図３で示したリブ間隔Ａよりも大きくしている。また、パイプ嵌合プレート２３，２３の先端部２３ａ，２３ａを内側に折り曲げている。これによって、リブ付きパイプをパイプ吊下装置によって吊下げる場合でもパイプの中心がずれてしまうことがないのである。
【００２６】
尚、本発明の趣旨を逸脱しない範囲において、種々の実施形態をとることができることは言うまでもない。例えば、上記実施形態ではパイプの回転防止手段としてパイプ嵌合プレートに突起を設ける構成としているが、これに限定されるものではなく、パイプ嵌合プレートとは別のプレートをパイプ吊下装置に設置して、これに凸部を設けてパイプの周壁と接触させ、パイプの回転を防止する構成としてもよいものである。
【００２７】
また、上記実施形態で示した上下方向の調整棒２０と伸縮自在の支持杆１４ａ及び左右方向の調整棒１８ａを各々、中空状の軽量部材、例えばパイプを使用することによってパイプ吊下装置全体の軽量化を図ることができ、作業者の吊下げ作業時の負担を軽減させることができるのである。
【００２８】
【発明の効果】
請求項１の発明は、地面を掘削して形成される溝の両壁に設置された土留パネル又は矢板間に下水道管等を敷設する作業で使用するパイプ吊下装置であって、該パイプ吊下装置は、パイプの周壁を挟持するパイプホルダー部と、該パイプホルダー部の上方に位置する吊下装置本体と、該吊下装置本体と前記パイプホルダー部とを連結するクランプ部と、前記吊下装置本体から前記土留パネル又は矢板を押圧する方向に延出する伸縮自在の支持杆と該支持杆の先端に押圧片が設置されてなるジャッキを備えた突っ張り部とを有しているパイプ吊下装置において、
パイプ吊下時にパイプが回転することを防止するためのパイプ回転防止手段を設けたことに特徴を有するので、パイプの吊下げ作業時にパイプにねじれが生じることがなく、パイプの中心がずれることを防ぐことができるので、精度よくパイプを設置することができる。
【００２９】
請求項２及び３の発明は、パイプ吊下装置のパイプホルダー部にパイプ嵌合プレートを設け、該パイプ嵌合プレートがパイプと接触する部分に凸部を設けてパイプ回転防止手段としたことに特徴を有するので、簡易な手段でパイプの回転を防止することができる。
【００３０】
請求項４の発明は、パイプ回転防止手段は、吊下げられるパイプがリブ付きパイプの場合には、パイプ嵌合プレートの厚みを該リブ付きパイプのリブ間隔よりも幅広にしたことに特徴を有するので、リブ付きパイプを吊下げた場合でもパイプの中心がずれることを防ぐことができ、精度よくパイプを吊下げることができる。
【００３１】
請求項５及び６の発明は、地面を掘削して形成される溝の両壁に設置された土留パネル又は矢板間に下水道管等を敷設する作業で使用するパイプ吊下装置であって、
該パイプ吊下装置は、パイプの周壁を挟持するパイプホルダー部と、該パイプホルダー部の上方に位置する吊下装置本体と、該吊下装置本体と前記パイプホルダー部とを連結するクランプ部と、前記吊下装置本体から前記土留パネル又は矢板を押圧する方向に延出する伸縮自在の支持杆と該支持杆の先端に押圧片が設置されてなるジャッキを備えた突っ張り部とを有しているパイプ吊下装置において、
該パイプ吊下装置に使用する部材に中空状の軽量部材、特にパイプを使用したことに特徴を有するので、パイプ吊下げ作業時の作業者の負担を軽減することができる。
【図面の簡単な説明】
【図１】本発明に係るパイプ吊下装置の全体を示す説明図である。
【図２】本発明に係るパイプ吊下装置の回転防止手段を示す説明図である。
【図３】リブ付きパイプを示す説明図である。
【図４】パイプ吊下装置を側面方向から見た説明図である。
【図５】従来のパイプ吊下装置を示す説明図である。
【符号の説明】
１０　パイプ吊下装置
１１　パイプホルダー部
１２　吊下装置本体
１４　突っ張り部
１５　固定ハンドル
１８　左右位置調整部
２０　上下方向の調整棒
２１ａ，２１ｂ　位置決めハンドル
２３　パイプ嵌合プレート
２３ｂ　突起
【図１】
2004100219.tif 000003
【図２】
2004100219.tif 000004
【図３】
2004100219.tif 000005
【図４】
2004100219.tif 000006
【図５】
2004100219.tif 000007